(57)【要約】【課題】施錠装置において、不正解錠され難いようにする。【解決手段】施錠装置３は、ダイアル組合せ装置４と、錠軸Ｌと、固定ユニット５とを備える。ダイアル組合せ装置４は、複数の暗証番号入力ユニットＩを有し、それらの暗証番号組合せが所定の組合せと異なるとき鎖錠状態となり、暗証番号組合せが所定の組合せと同じとき解錠状態となる。錠軸Ｌは、鎖錠状態においてダイアル組合せ装置４によって移動又は回転が妨げられ、解錠状態において移動又は回転が可能となる。固定ユニット５は第一位置にあるとき、暗証番号入力ユニットＩを移動又は回転されることができるように保持し、第二位置にあるとき、暗証番号入力ユニットＩのうちの少なくとも１つを移動又は回転しないように固定する。固定ユニット５と錠軸Ｌとの連動関係、及び固定ユニット５と暗証番号入力ユニットＩとの連動関係により、ダイアル錠が外的な力で不正解錠されることが回避される。【選択図】図３Ａ
2012112234.tif 000002
【特許請求の範囲】
【請求項１】
複数の暗証番号入力ユニットを有し、前記各暗証番号入力ユニットが、それらの暗証番号組合せが所定の組合せと異なるとき鎖錠状態となり、該暗証番号組合せが所定の組合せと同じとき解錠状態となるダイアル組合せ装置と、
前記ダイアル組合せ装置に対して移動又は回転自在に保持され、前記鎖錠状態において前記ダイアル組合せ装置によって該移動又は回転が妨げられ、前記解錠状態において該移動又は回転が可能となる錠軸と、
前記錠軸と連動関係を有し、第一位置と第二位置の間を移動自在であり、前記第一位置にあるとき、前記暗証番号入力ユニットを移動又は回転されることができるように保持し、前記第二位置にあるとき、前記暗証番号入力ユニットのうちの少なくとも１つを移動又は回転しないように固定する固定ユニットとを備えることを特徴とする施錠装置。
【請求項２】
前記暗証番号入力ユニットは、それぞれダイアル盤を有し、
前記錠軸は、前記ダイアル盤を貫通して設置されることを特徴とする請求項１に記載の施錠装置。
【請求項３】
前記各ダイアル盤は、開口穴を有し、この開口穴の内縁に第一凹部を有することを特徴とする請求項２に記載の施錠装置。
【請求項４】
前記錠軸は、複数の凸歯を有し、前記凸歯のサイズは、前記第一凹部のサイズより小さいか、それに等しいことを特徴とする請求項３に記載の施錠装置。
【請求項５】
前記ダイアル組合せ装置が鎖錠状態において、前記ダイアル盤と錠軸とが互いに噛み合い、前記錠軸がダイアル盤から抜き出されることができない状態となり、前記ダイアル組合せ装置が解錠状態において、前記第一凹部により前記錠軸を前記ダイアル盤から抜き出すための通り道が形成される状態となることを特徴とする請求項３に記載の施錠装置。
【請求項６】
前記固定ユニットは、少なくとも１個の閂を備え、
前記閂は、互いに連結される噛み合わせ部及び操作部を有し、
前記錠軸は、凹槽を有し、
前記閂が前記第一位置に位置するとき、前記噛み合わせ部が前記錠軸の前記凹槽に位置することを特徴とする請求項２に記載の施錠装置。
【請求項７】
前記閂が前記第一位置に位置するとき、前記ダイアル盤は回転することができ、前記錠軸は移動することができないことを特徴とする請求項６に記載の施錠装置。
【請求項８】
前記固定ユニットは、少なくとも１個の閂を備え、
前記閂は、互いに連結される噛み合わせ部及び操作部を有し、
前記ダイアル盤は、前記閂に対応する複数の第二凹部を有し、
前記閂が第二位置に位置するとき、前記噛み合わせ部の少なくとも一部が前記ダイアル盤の前記第二凹部に位置することを特徴とする請求項２に記載の施錠装置。
【請求項９】
前記閂が前記第一位置に位置するとき、前記ダイアル盤は回転することができないことを特徴とする請求項８に記載の施錠装置。
【請求項１０】
前記暗証番号入力ユニットは、それぞれピン押さえユニットを備え、
前記ピン押さえユニットは、少なくとも一部が前記錠軸の位置にあることを特徴とする請求項１に記載の施錠装置。
【請求項１１】
前記ピン押さえユニットは、スプリング、鋸状ドライバーピン及び鋸状キーピンを備え、
前記スプリングと前記鋸状ドライバーピンとは互いに連結され、前記ピン押さえユニットのうちの、少なくとも２個の鋸状ドライバーピン又は少なくとも２個の鋸状キーピンの長さが互いに異なることを特徴とする請求項１０に記載の施錠装置。
【請求項１２】
前記錠軸は柱体を備え、前記柱体は貫通穴を有し、
前記鋸状キーピンの少なくとも一部が前記貫通穴に位置することを特徴とする請求項１１に記載の施錠装置。
【請求項１３】
前記各鋸状ドライバーピン及び各鋸状キーピンは、接触面を有し、
前記ダイアル組合せ装置及び錠軸は、シアラインを有することを特徴とする請求項１１に記載の施錠装置。
【請求項１４】
前記ダイアル組合せ装置が鎖錠状態において、前記接触面と前記シアラインとが一致せずに、該ダイアル組合せ装置と前記錠軸が対応して回転しない状態となり、前記ダイアル組合せ装置が解錠状態において、前記接触面と前記シアラインとが一致して、該ダイアル組合せ装置と前記錠軸とが対応回転する状態となることを特徴ととする請求項１３に記載の施錠装置。
【請求項１５】
前記固定ユニットは、スプリング及び固定パーツを備え、
前記錠軸が回転されないとき、前記固定ユニットは前記第一位置に位置し、前記固定ユニットと前記ピン押さえユニットは互いに接触せず、前記鋸状ドライバーピン及び鋸状キーピンは移動することが可能であることを特徴とする請求項１１に記載の施錠装置。
【請求項１６】
前記固定ユニットは、スプリングと固定パーツを備え、
前記錠軸が回転されるとき、前記固定ユニットは前記第二位置に位置し、前記スプリングが前記固定パーツに当接して前記ピン押さえユニットまで到達すると、前記固定パーツが前記鋸状ドライバーピン又は前記鋸状キーピンを固定し、前記鋸状ドライバーピン又は前記鋸状キーピンは移動することができなくなることを特徴とする請求項１０に記載の施錠装置。
【請求項１７】
錠軸と、
複数の暗証番号入力ユニットを有し、前記各暗証番号入力ユニットが、それらのダイアル組合せと所定の組合せが異なるとき鎖錠状態となり、該ダイアル組合せが所定の組合と同じであるとき、解錠状態となるダイアル組合せ装置と、
前記暗証番号入力ユニットに固定されて、前記暗証番号入力ユニットと連動して動作する固定ユニットとを備え、
前記ダイアル組合せ装置が鎖錠状態であるとき、前記錠軸を強引に抜き出そうとしても、前記固定ユニットが前記錠軸と噛み合わさり、前記暗証番号入力ユニットはそのダイアル組合せを変更することができないことを特徴とする施錠装置。
【請求項１８】
前記ダイアル組合せ装置が鎖錠状態にあり、且つ、前記錠軸が移動することができない状態にあるとき、前記錠軸が前記固定ユニットと噛み合わず、前記暗証番号入力ユニットはそのダイアル組合せを変更することが可能であることを特徴とする請求項１７に記載の施錠装置。
【請求項１９】
前記ダイアル組合せ装置が解錠状態にあるとき、前記錠軸と前記固定ユニットが互いに噛み合わず、前記錠軸は移動させることが可能であることを特徴とする請求項１７に記載の施錠装置。
【請求項２０】
前記暗証番号入力ユニットは、それぞれダイアル盤を有し、
前記錠軸は、前記ダイアル盤に貫通して設置されることを特徴とする請求項１７に記載の施錠装置。
【請求項２１】
前記各ダイアル盤は、開口穴を有し、この開口穴の内縁に第一凹部を有することを特徴とする請求項１７に記載の施錠装置。
【請求項２２】
前記錠軸は、複数の凸歯を有し、前記凸歯のサイズは、前記第一凹部のサイズより小さいか、それに等しいことを特徴とする請求項２１に記載の施錠装置。
【請求項２３】
前記固定ユニットは、中空の円盤を備え、
前記円盤は、その内縁に複数の第三凹部を有し、前記第三凹部は、前記第一凹部と重なり、
前記凸歯のサイズは、前記第一凹部及び前記第三凹部の双方のサイズより小さいか、それに等しいことを特徴とする請求項２１に記載の施錠装置。
【請求項２４】
前記ダイアル組合せ装置が鎖錠状態において、前記ダイアル盤と錠軸とが互いに噛み合う状態となり、前記ダイアル組合せ装置が解錠状態において、前記第一凹部及び前記第三凹部により前記錠軸を前記ダイアル盤から抜き出すための通り道が形成される状態となることを特徴とする請求項２３に記載の施錠装置。
【発明の詳細な説明】
【技術分野】
【０００１】
本発明は、ダイアル錠やシリンダー錠などの施錠装置に関する。
【背景技術】
【０００２】
従来のダイアル錠を図１Ａ乃至図１Ｃを用いて説明する。図１Ａはダイアル錠の全体図である。図１Ｂはダイアル錠を構成するダイアル盤及び錠軸の分解図である。図１Ｃは錠軸をダイアル盤内に挿入した状態を示す図である。ダイアル錠（combination lock）１は、一般的に、複数のダイアル盤（dials）１１１から成るダイアル組合せ装置１１、及び錠軸（pin）１２を備える。各ダイアル盤１１１は、その中心にキーウェイＯを有し、さらに、このキーウェイＯの内縁に凹部Ｖを有する。ダイアル組合せ装置１１は、ダイアル盤１１１による暗証番号組合せが所定の組合せと一致するとき解錠され、このときキーウェイＯに挿入された錠軸１２がダイアル組合せ装置１１から抜き出されるようになっている。
【０００３】
しかしながら、このようなタイプのダイアル錠１は容易に不正解錠される。すなわち、錠軸１２を強い力で外に向かって引きながら、各ダイアル盤１１１を順に回転させると、錠軸１２の凸歯１２１がダイアル盤１１１の凹部Ｖに一つずつ進入していき、錠軸１２の通り道が徐々に形成される。そして、最終的に錠軸１２がダイアル盤１１１から抜き出されることになり、暗証番号を必要とせずに不正解錠される。
【０００４】
次に、従来のシリンダー錠（cylinder lock or pin tumbler lock）を図２Ａ乃至図２Ｄを用いて説明する。図２Ａはシリンダー錠の軸方向に平行な側断面図である。図２Ｂはシリンダー錠の軸方向に垂直な正面断面図である。シリンダー錠２は、シリンダー（cylinder）２１、外筒（shell）２２、複数のスプリング２３、複数のドライバーピン（top pin）２４、及び複数のキーピン（bottom pin）２５を備える。各スプリング２３は、外筒２２と各ドライバーピン２４とを連結する。各ドライバーピン２４は、各キーピン２５と互いに接触し、シアラインＦを有する。ドライバーピン２４及びキーピン２５はそれぞれ、スプリング２３を伸縮させることによりシリンダー２１に形成された通路内を移動する。
【０００５】
図２Ｃはシリンダー錠２にキーＫを挿入した状態を示す側断面図である。図２Ｄは上記の状態を示す正面断面図である。シリンダー錠２に正確なキーＫが挿入された状態では、ドライバーピン２４とキーピン２５の接触面Ｆは、シリンダー２１と外筒２２内壁の間のシアライン２７と一線上に並ぶ。このとき、シリンダー２１は回転することが可能となり、解錠される。
【０００６】
しかしながら、このようなタイプのシリンダー錠２は、キーＫがなくても、容易に不正解錠される。すなわち、シリンダー錠２が施錠された状態、つまりシリンダー２１がキーピン２５ににより回転が規制されている状態において、シリンダー２１を外的な力により回転させながら、シリンダー２１の開口部にピック等の道具を進入させて、キーピン２５を一つずつ押し上げると、ドライバーピン２４とキーピン２５がシアライン２７に沿って分離される。最終的に、全てのキーピン２５とドライバーピン２４がシアライン２７に沿って分離された後、シリンダー２１が外筒２２に対して回転されると、シリンダー錠２は解錠がなされる。
【発明の概要】
【発明が解決しようとする課題】
【０００７】
本発明は、上記問題を解決するためになされたものであり、不正解錠され難い施錠装置を提供することを課題とする。
【課題を解決するための手段】
【０００８】
本発明の施錠装置は、複数の暗証番号入力ユニットを有し、前記各暗証番号入力ユニットが、それらの暗証番号組合せが所定の組合せと異なるとき鎖錠状態となり、該暗証番号組合せが所定の組合せと同じとき解錠状態となるダイアル組合せ装置と、前記ダイアル組合せ装置に対して移動又は回転自在に保持され、前記鎖錠状態において前記ダイアル組合せ装置によって該移動又は回転が妨げられ、前記解錠状態において該移動又は回転が可能となる錠軸と、前記錠軸と連動関係を有し、第一位置と第二位置の間を移動自在であり、前記第一位置にあるとき、前記暗証番号入力ユニットを移動又は回転されることができるように保持し、前記第二位置にあるとき、前記暗証番号入力ユニットのうちの少なくとも１つを移動又は回転しないように固定する固定ユニットとを備えることを特徴とする。
【０００９】
この施錠装置において、前記暗証番号入力ユニットは、それぞれダイアル盤を有し、前記錠軸は、前記ダイアル盤を貫通して設置されることが好ましい。
【００１０】
この施錠装置において、前記各ダイアル盤は、開口穴を有し、この開口穴の内縁に第一凹部を有することが好ましい。
【００１１】
この施錠装置において、前記錠軸は、複数の凸歯を有し、前記凸歯のサイズは、前記第一凹部のサイズより小さいか、それに等しいことが好ましい。
【００１２】
この施錠装置において、前記ダイアル組合せ装置が鎖錠状態において、前記ダイアル盤と錠軸とが互いに噛み合い、前記錠軸がダイアル盤から抜き出されることができない状態となり、前記ダイアル組合せ装置が解錠状態において、前記第一凹部により前記錠軸を前記ダイアル盤から抜き出すための通り道が形成される状態となることが好ましい。
【００１３】
この施錠装置において、前記固定ユニットは、少なくとも１個の閂を備え、前記閂は、互いに連結される噛み合わせ部及び操作部を有し、前記錠軸は、凹槽を有し、前記閂が前記第一位置に位置するとき、前記噛み合わせ部が前記錠軸の前記凹槽に位置することが好ましい。
【００１４】
この施錠装置において、前記閂が前記第一位置に位置するとき、前記ダイアル盤は回転することができ、前記錠軸は移動することができないことが好ましい。
【００１５】
この施錠装置において、前記固定ユニットは、少なくとも１個の閂を備え、前記閂は、互いに連結される噛み合わせ部及び操作部を有し、前記ダイアル盤は、前記閂に対応する複数の第二凹部を有し、前記閂が第二位置に位置するとき、前記噛み合わせ部の少なくとも一部が前記ダイアル盤の前記第二凹部に位置することが好ましい。
【００１６】
この施錠装置において、前記閂が前記第一位置に位置するとき、前記ダイアル盤は回転することができないことが好ましい。
【００１７】
この施錠装置において、前記暗証番号入力ユニットは、それぞれピン押さえユニットを備え、前記ピン押さえユニットは、少なくとも一部が前記錠軸の位置にあることが好ましい。
【００１８】
この施錠装置において、前記ピン押さえユニットは、スプリング、鋸状ドライバーピン及び鋸状キーピンを備え、前記スプリングと前記鋸状ドライバーピンとは互いに連結され、前記ピン押さえユニットのうちの、少なくとも２個の鋸状ドライバーピン又は少なくとも２個の鋸状キーピンの長さが互いに異なることが好ましい。
【００１９】
この施錠装置において、前記錠軸は柱体を備え、前記柱体は貫通穴を有し、前記鋸状キーピンの少なくとも一部が前記貫通穴に位置することが好ましい。
【００２０】
この施錠装置において、前記各鋸状ドライバーピン及び各鋸状キーピンは、接触面を有し、前記ダイアル組合せ装置及び錠軸は、シアラインを有することが好ましい。
【００２１】
この施錠装置において、前記ダイアル組合せ装置が鎖錠状態において、前記接触面と前記シアラインとが一致せずに、該ダイアル組合せ装置と前記錠軸が対応して回転しない状態となり、前記ダイアル組合せ装置が解錠状態において、前記接触面と前記シアラインとが一致して、該ダイアル組合せ装置と前記錠軸とが対応回転する状態となることが好ましい。
【００２２】
この施錠装置において、前記固定ユニットは、スプリング及び固定パーツを備え、前記錠軸が回転されないとき、前記固定ユニットは前記第一位置に位置し、前記固定ユニットと前記ピン押さえユニットは互いに接触せず、前記鋸状ドライバーピン及び鋸状キーピンは移動することが可能であることが好ましい。
【００２３】
この施錠装置において、前記固定ユニットは、スプリングと固定パーツを備え、前記錠軸が回転されるとき、前記固定ユニットは前記第二位置に位置し、前記スプリングが前記固定パーツに当接して前記ピン押さえユニットまで到達すると、前記固定パーツが前記鋸状ドライバーピン又は前記鋸状キーピンを固定し、前記鋸状ドライバーピン又は前記鋸状キーピンは移動することができなくなることが好ましい。
【００２４】
本発明の施錠装置は、錠軸と、複数の暗証番号入力ユニットを有し、前記各暗証番号入力ユニットが、それらのダイアル組合せと所定の組合せが異なるとき鎖錠状態となり、該ダイアル組合せが所定の組合と同じであるとき、解錠状態となるダイアル組合せ装置と、前記暗証番号入力ユニットに固定されて、前記暗証番号入力ユニットと連動して動作する固定ユニットとを備え、前記ダイアル組合せ装置が鎖錠状態であるとき、前記錠軸を強引に抜き出そうとしても、前記固定ユニットが前記錠軸と噛み合わさり、前記暗証番号入力ユニットはそのダイアル組合せを変更することができないことを特徴とする。
【００２５】
この施錠装置において、前記ダイアル組合せ装置が鎖錠状態にあり、且つ、前記錠軸が移動することができない状態にあるとき、前記錠軸が前記固定ユニットと噛み合わず、前記暗証番号入力ユニットはそのダイアル組合せを変更することが可能であることが好ましい。
【００２６】
この施錠装置において、前記ダイアル組合せ装置が解錠状態にあるとき、前記錠軸と前記固定ユニットが互いに噛み合わず、前記錠軸は移動させることが可能であることが好ましい。
【００２７】
この施錠装置において、前記暗証番号入力ユニットは、それぞれダイアル盤を有し、前記錠軸は、前記ダイアル盤に貫通して設置されることが好ましい。
【００２８】
この施錠装置において、前記各ダイアル盤は、開口穴を有し、この開口穴の内縁に第一凹部を有することが好ましい。
【００２９】
この施錠装置において、前記錠軸は、複数の凸歯を有し、前記凸歯のサイズは、前記第一凹部のサイズより小さいか、それに等しいことが好ましい。
【００３０】
この施錠装置において、前記固定ユニットは、中空の円盤を備え、前記円盤は、その内縁に複数の第三凹部を有し、前記第三凹部は、前記第一凹部と重なり、前記凸歯のサイズは、前記第一凹部及び前記第三凹部の双方のサイズより小さいか、それに等しいことが好ましい。
【００３１】
この施錠装置において、前記ダイアル組合せ装置が鎖錠状態において、前記ダイアル盤と錠軸とが互いに噛み合う状態となり、前記ダイアル組合せ装置が解錠状態において、前記第一凹部及び前記第三凹部により前記錠軸を前記ダイアル盤から抜き出すための通り道が形成される状態となることが好ましい。
【発明の効果】
【００３２】
本発明の施錠装置によれば、固定ユニットと錠軸との連動関係、及び固定ユニットと暗証番号入力ユニットとの連動関係により、ダイアル錠が外的な力で不正解錠されることを効果的に回避することができる。
【図面の簡単な説明】
【００３３】
【図１Ａ】従来のダイアル錠の全体図。
【図１Ｂ】同ダイアル錠を構成するダイアル盤及び錠軸の分解図。
【図１Ｃ】同錠軸をダイアル盤内に挿入した状態を示す図。
【図２Ａ】従来のシリンダー錠の軸方向に平行な側断面図。
【図２Ｂ】同シリンダー錠の軸方向に垂直な正面断面図。
【図２Ｃ】同シリンダー錠にキーを挿入した解錠状態を示す側断面図。
【図２Ｄ】同解錠状態を示す正面断面図。
【図３Ａ】本発明の第一の実施形態に係る施錠装置において、固定ユニットが第一位置に位置した状態を示す図。
【図３Ｂ】同固定ユニットが第二位置に位置した状態を示す図。
【図４Ａ】本発明の第二の実施形態に係る施錠装置の軸方向に平行な側断面図。
【図４Ｂ】図４ＡのＡ−Ａ線に沿った断面図。
【図５Ａ】本発明の第三の実施形態に係る施錠装置の分解図。
【図５Ｂ】同施錠装置の軸方向に平行な側断面図。
【図５Ｃ】同施錠装置の軸方向に垂直な正面断面図。
【発明を実施するための形態】
【００３４】
以下に、図面を参照しながら、本発明の施錠装置における複数の実施形態について説明する。
【００３５】
（第一の実施形態）
図３Ａ及び図３Ｂは、本発明の第一の実施形態に係る施錠装置を示した図である。本実施形態の施錠装置３は、ダイアル組合せ装置４、錠軸Ｌ及び少なくとも１個の固定ユニット５を備える。ここでは、施錠装置３が、シリンダー錠を用いた施錠機構により構成された例を示す。
【００３６】
ダイアル組合せ装置４は、複数の暗証番号入力ユニットＩを有する。ここでは、各暗証番号入力ユニットＩは、それぞれピン押さえユニット４１を用いている。図３Ａ及び図３Ｂにおいては、施錠装置３のうちの暗証番号入力ユニットＩと固定ユニット５の動作状態のみを表示するが、本実施形態はこれに限られるものではない。各ピン押さえユニット４１は、スプリング４１１、鋸状ドライバーピン４１２及び鋸状キーピン４１３を備える。スプリング４１１は、それぞれ鋸状ドライバーピン４１２及び施錠装置３の外殼（図示なし）に連結する。前記ピン押さえユニット４１のうち、少なくとも２個の鋸状ドライバーピン４１２、又は、少なくとも２個の鋸状キーピン４１３は、各々で長さが異なる。これら鋸状ドライバーピン４１２及び鋸状キーピン４１３が異なる長さのものを組合せて配列されることにより、鋸状ドライバーピン４１２と鋸状キーピン４１３との接触面Ｆは、少なくとも２つが互いに異なった高さ位置となり、いわゆるダイアル組合せが形成される。鋸状ドライバーピン４１２及び鋸状キーピン４１３の歯の部分は、例えば、寸胴のドライバーピン又はキーピンに凹状の切れ込みを設けることにより形成される。上記歯の部分は、規則的な切れ込み配列であっても、不規則な切れ込み配列であってもよい。
【００３７】
錠軸Ｌは、柱体Ｌ１を備え、柱体Ｌ１はキーウェイＯを備える。ピン押さえユニット４１は、少なくともその一部が錠軸Ｌの位置にある。具体的に、鋸状キーピン４１３は、少なくとも一部が鋸状ドライバーピン４１２に重ねられる関係でキーウェイＯの位置に設けられる。ダイアル組合せ装置４と錠軸Ｌの間にはシアラインＬ３が設けられ、シアラインＬ３は、柱体Ｌ１外縁のほぼ表面に位置する。施錠装置３が鎖錠状態にあるとき、各ピン押さえユニット４１において鋸状ドライバーピン４１２及び鋸状キーピン４１３の接触面Ｆは、シアラインＬの切面の位置と一致しない。このとき、暗証番号入力ユニットＩのダイアル組合せ（各接触面Ｆの位置、高度）が所定の組合せと異なるので、錠軸Ｌを回転しようとすると、鋸状キーピン４１３又は鋸状ドライバーピン４１２により錠軸Ｌの動きが妨げられ、錠軸Ｌをダイアル組合せ装置４に対して回転させることができない状態となる。そして、適切な形状のキー（図示しない）を錠軸ＬのキーウェイＯ中に挿入すると、キーが鋸状ドライバーピン４１２と鋸状キーピン４１３の接触面Ｆを適切な位置まで押し上げて、接触面ＦとシアラインＬ３の切面の位置が一致する。つまり、暗証番号入力ユニットＩのダイアル組合せが所定の組合せと同じであることにより、施錠装置３が解錠状態となり、錠軸Ｌをダイアル組合せ装置４に対して回転させることができるようになる。
【００３８】
固定ユニット５は、スプリング５１及び固定パーツ５２を備える。スプリング５１と固定パーツ５２とは互いに連結される。固定ユニット５は、スプリング５１の弾性力により、図３Ａに示される第一位置Ｐ１と図３Ｂに示される第二位置Ｐ２の間を移動する。施錠装置３が鎖錠状態にあり、錠軸Ｌが回転される状態にないとき、固定ユニット５は、第一位置Ｐ１（図３Ａ）に位置する。このとき、固定パーツ５２は、錠軸Ｌの柱体Ｌ１上のストッパーＬ２に接触し、スプリング５１は圧縮された状態にある。ここでは、ストッパーＬ２は凸状であり、錠軸Ｌの外縁から比較的大きく突出する。また、このとき固定ユニット５はピン押さえユニット４１に接触せず、鋸状ドライバーピン４１２及び鋸状キーピン４１３を有する暗証番号入力ユニットＩは移動することが可能となる。施錠装置３が鎖錠状態にあるとき、錠軸Ｌが外的な力によって回転されると、ストッパーＬ２が固定パーツ５２に対して位置的に対応しなくなり、ストッパーＬ２と固定パーツ５２とは互いに接触しなくなる。このとき、固定ユニット５は、固定パーツ５２に当接しているので、スプリング５１の弾性力によって第二位置Ｐ２（図３Ｂ）まで押し上げられる。固定パーツ５２がピン押さえユニット４１まで達すると、複数の暗証番号入力ユニットＩのうちの、少なくとも１個の鋸状ドライバーピン４１２又は鋸状キーピン４１３は、鋸状ドライバーピン４１２の凹痕に固定パーツ５２先端が引っ掛かることにより、固定される。このとき鋸状ドライバーピン４１２及び鋸状キーピン４１３は上下移動ができなくなり、ダイアル組合せを変更することができない状態となる。本実施形態においては、１組の固定ユニット５によって一組のピン押さえユニット４１が固定される場合を例としている。ここに注意すべきは、固定ユニット５が、複数のピン押さえユニット４１を同時に固定するように構成されていてもよい。また、本実施形態における固定ユニット５中のスプリング５１の触発動作は、固定パーツ５２がストッパーＬ２から位置ずれした後に生じる高度差によって、スプリング５１が固定パーツ５２を押し上げるものとしているが、このような動作構造に制限されず、その他の簡単な機械構造に置き換えることも可能である。例えば、手動又は自動の閂や、ボタン又はピン等、その他錠軸Ｌの回転や固定ユニット５の動作によって連動する機械構造を用いて、固定パーツ５２を鋸状ドライバーピン４１２に押しつけ、これによりダイアル組合せの変更を阻止するように構成されていてもよい。
【００３９】
上記のように構成された施錠装置３において、施錠装置３が鎖錠状態にあるとき、固定ユニット５は第一位置Ｐ１に位置する。正確なキーを使用して開錠される場合、使用者が錠軸ＬのキーウェイＯ中にキーを挿入すると、各ピン押さえユニット４１中の鋸状ドライバーピン４１２及び鋸状キーピン４１３の接触面ＦがシアラインＬ３まで押し上げられて、正確なダイアル組合せが完了し、錠軸Ｌが回転されると解錠が完了する。このとき、ダイアル組合せはすでに正確であるため、固定ユニット５の移動は解錠に影響しない。しかしながら、錠軸Ｌを強引に回転させて、ダイアル組合せ装置４のダイアル組合せを不正に解錠しようとした場合、錠軸Ｌと固定ユニット５の間の連動関係によって、固定ユニット５が第一位置Ｐ１から第二位置Ｐ２に移動する。このとき、暗証番号入力ユニットＩが固定ユニット５により確実に固定されるので、ダイアル組合せの変更が阻止される。従って、不正に解錠されることがなく、盗難を防止する効果が高い施錠装置を得ることができる。
【００４０】
（第二の実施形態）
図４Ａ及び図４Ｂは、本発明の第二の実施形態に係る施錠装置を示した図である。本実施形態の施錠装置６は、ダイアル組合せ装置７、錠軸Ｌ４及び少なくとも１個の固定ユニット８を備える。ここでは、施錠装置６が、ダイアル錠（combination lock）を用いた施錠機構により構成された例を示す。
【００４１】
ダイアル組合せ装置７は、複数の暗証番号入力ユニットＪを有する。ここでは、各暗証番号入力ユニットＪは、それぞれダイアル盤７１を用いている。図４Ａ及び図４Ｂにおいては、３個の暗証番号入力ユニットＪと１個の固定ユニット８が表示されているが、その数量の組合せはこれに限られるものではない。各ダイアル盤７１は、開口穴７１１を備え、開口穴７１１の内縁には第一凹部Ｖ１が設けられている。各ダイアル盤７１は、互いに相対的に回転する。各ダイアル盤７１の外側表面は、それぞれ複数の異なる数字又は符号を有し、使用者が各ダイアル盤７１の相対位置を記憶し易いようにしている。使用者が自ら所定の数字又は符号を定義することで、これら数字又は符号と、第一凹部Ｖ１の位置関係が対応される。各ダイアル盤７１に対応された数字又は符号は、使用者が予め設定したダイアル組合せである。複数のダイアル盤７１を相対回転させることによって、異なるダイアル組合せが入力できる。
【００４２】
錠軸Ｌ４は、ダイアル盤７１に貫通して設置され、つまりダイアル盤７１の開口穴７１１に貫通される。錠軸Ｌ４は、複数の凸歯Ｌ４１を有し、凸歯Ｌ４１は、錠軸Ｌ４の軸方向に沿って一次元的に配列されている。各凸歯Ｌ４１のサイズは、ダイアル盤７１の第一凹部Ｖ１のサイズより小さいか、それに等しい。ダイアル組合せ装置７が鎖錠状態において、ダイアル盤７１内縁と錠軸Ｌ４とは互いに噛み合った状態となり、第一凹部Ｖ１は、錠軸Ｌ４上の凸歯Ｌ４１と位置的に対応しない。すなわち、入力されたダイアル組合せ（各ダイアル盤７１の相対位置）が所定の組合せと異なるので、錠軸Ｌ４をダイアル盤７１から抜き出すことができなくなり、解錠が不能な状態となる。抜き出し方向は図４Ａ中の点線矢印で示しており、ダイアル盤７１の重なる方向に平行である。ダイアル組合せ装置７が解錠状態において、第一凹部Ｖ１により錠軸Ｌ４をダイアル盤７１から抜き出すための通り道が形成される状態となる。すなわち、入力したダイアル組合せが所定の組合せが一致した状態にあり、錠軸Ｌ４はダイアル盤７１から抜き出すことが可能となり、解錠を行い得るようになる。
【００４３】
固定ユニット８は、少なくとも１個の閂８１を備える。閂８１は、互いに連結される噛み合わせ部８２及び操作部８３を有する。ここでは、噛み合わせ部８２と操作部８３とが、略９０度の角度で連結されている。固定ユニット８は、第一位置Ｐ１（実線で示す）と第二位置Ｐ２（破線で示す）の間を移動する。ここでは、固定ユニット８の閂８１が、第一位置Ｐ１と第二位置Ｐ２の間を移動する構成となっている。錠軸Ｌ４は、長軸方向に凹槽Ｌ４２を有する。閂８１が第一位置Ｐ１に位置するとき、噛み合わせ部８２が錠軸Ｌ４の凹槽Ｌ４２に位置して、錠軸Ｌ４と噛み合う。錠軸Ｌ４と閂８１とが噛み合った状態では、ダイアル盤７１の回転（図４Ｂ参照）が妨げられず、ダイアル盤７１は回転することが可能となり、錠軸Ｌ４は移動することができなくなる。ダイアル盤７１は、閂８１に対応す複数の第二凹部Ｖ２を有する。第二凹部Ｖ２の形状は、第一凹部Ｖ１とは異なる。閂８１が第二位置Ｐ２に位置するとき、噛み合わせ部８２は、少なくとも一部がダイアル盤７１の第二凹部Ｖ２に位置する。このとき、ダイアル盤７１は回転することができない状態となり、錠軸Ｌ４は移動が可能な状態となる。ここで、錠軸Ｌ４の移動方向は、ダイアル盤７１の回転平面と垂直である。
【００４４】
上記のように構成された施錠装置６において、鎖錠状態にある施錠装置６を解錠する際、には、先ず固定ユニット８の閂８１を第一位置Ｐ１まで押し上げた状態で、各ダイアル盤７１を正確なダイアル組合せが入力されるように回転させる。その後、閂８１を第二位置Ｐ２まで移動させることにより、錠軸Ｌ４をダイアル組合せ装置７から抜き出すことができ、解錠が完了する。また、施錠装置６が鎖錠状態にあるときに、錠軸Ｌ４を無理に外側に向かって引っ張りながら、ダイアル盤７１を順に回転させ、錠軸Ｌ４を直接引き出そうとする場合（不正解除）、固定ユニット８の閂８１が第一位置Ｐ１又は第二位置Ｐ２のどちらに位置するかにかかわらず、施錠装置６を解錠するすることはできない。これは、錠軸Ｌ４と固定ユニット８の間の連動関係が、固定ユニット８の閂８１が第一位置Ｐ１に位置するとき、ダイアル盤７１を回転させることができるものの、錠軸Ｌ４を移動させることはできないようになっているためである。閂８１が第二位置Ｐ２に位置するときに、初めて錠軸Ｌ４を移動させることができ、このときダイアル盤７１は回転させることができない状態となる。従って、錠軸Ｌ４と固定ユニット８の間の連動関係により施錠装置６が不正解錠されることを効果的に回避することが可能となる。
【００４５】
（第三の実施形態）
図５Ａ乃至図５Ｃは、本発明の第三の実施形態に係る施錠装置を示した図である。本実施形態の施錠装置６ａは、ダイアル組合せ装置７ａ、錠軸Ｌ６及び少なくとも１個の固定ユニット９を備える。ここでは、施錠装置６ａが、ダイアル錠（combination lock）を用いた施錠機構により構成された例を示す。
【００４６】
ダイアル組合せ装置７ａは、複数の暗証番号入力ユニットＨを有する。ここでは、各暗証番号入力ユニットＨは、それぞれダイアル盤７１ａを用いている。ここでは、固定ユニット９が、複数のダイアル盤７１ａのそれぞれに対応して設けられている。本発明において固定ユニット９は、上記構成に限られず、１つの固定ユニット９が複数のダイアル盤７１ａ対応するように設けられていてもよい。各ダイアル盤７１ａは、開口穴７１１ａを備え、開口穴７１１ａの内縁には第一凹部Ｖ３が設けられている。各ダイアル盤７１ａは、互いに相対的に回転する。各ダイアル盤７１ａの外側表面は、それぞれ複数の異なる数字又は符号を有し、使用者が各ダイアル盤７１ａの相対位置を記憶し易いようにしている。使用者が自ら所定の数字又は符号を定義することで、これら数字又は符号と、第一凹部Ｖ３の位置関係が対応される。各ダイアル盤７１ａに対応された数字又は符号は、使用者が予め設定したダイアル組合せである。複数のダイアル盤７１ａを相対回転させることによって、異なるダイアル組合せが入力できる。
【００４７】
錠軸Ｌ６は、ダイアル盤７１ａに貫通して設置され、つまり、ダイアル盤７１ａの開口穴７１１ａに貫通される。錠軸Ｌ６は、複数の凸歯６１を有し、凸歯６１は、錠軸Ｌ６の軸方向に沿って一次元的に配列されている。各凸歯Ｌ６１のサイズは、ダイアル盤７１ａの第一凹部Ｖ３のサイズより小さいか、それに等しい。ダイアル組合せ装置７ａが鎖錠状態において、ダイアル盤７１ａ内縁と錠軸Ｌ６とは互いに噛み合った状態となり、第一凹部Ｖ３は、錠軸Ｌ６上の凸歯Ｌ６１と位置的に対応しない。すなわち、入力されたダイアル組合せ（各ダイアル盤７１ａの相対位置）が所定の組合せと異なるので、錠軸Ｌ６をダイアル盤７１ａから抜き出すことができなくなり、解錠が不能な状態となる。抜き出し方向は図５Ｂ中の点線矢印で示しており、ダイアル盤７１ａの重なる方向に平行である。ダイアル組合せ装置７ａが解錠状態において、第一凹部Ｖ３により錠軸Ｌ６をダイアル盤７１ａから抜き出すための通り道が形成される状態となる。すなわち、入力したダイアル組合せが所定の組合せが一致した状態にあり、錠軸Ｌ６はダイアル盤７１ａから抜き出すことが可能となり、解錠を行い得るようになる。
【００４８】
固定ユニット９は、ダイアル盤７１ａに固定された中空の円盤９１から成る。円盤９１内縁には、複数の第三凹部Ｖ４が設けられている。第三凹部Ｖ４の数量は、各ダイアル盤７１ａ上に形成されたダイアルの数に合致する。例えば、ダイアル盤７１ａの外表面上には、０〜９の数字がナンバリングされ、このとき、円盤９１内縁には第三凹部Ｖ４が１０個設けられる。ここで、中空の円盤９１とダイアル盤７１ａとは、一体的に固定される。この固定方式は、例えば、噛み合わせ、張り合わせ、螺合等の方法を用いることができる。ここでは、円盤９１が貫通穴ｈを有し、ダイアル盤７１ａが凸部ｐを有し、これら貫通穴ｈと凸部ｐが互い噛み合うことにより、固定ユニット９がダイアル組合せ装置７ａに一体固定されている。円盤９１は、複数の第三凹部Ｖ４のうちの一つが、ダイアル盤７１ａの第一凹部Ｖ３に対応するように合わさっている。
【００４９】
上記のように構成された施錠装置６ａにおいて、鎖錠状態にある施錠装置６ａを解錠する際には、先ず暗証番号入力ユニットＨのダイアル盤７１ａを、正確なダイアル組合せが入力されるように回転させる。このとき、暗証番号入力ユニットＨの回転に連動して固定ユニット９が回転され、円盤９１のうちの１個の第三凹部Ｖ４が、ダイアル盤７１ａの第一凹部Ｖ３に対応して合わさる。この状態で錠軸Ｌ６を第三凹部Ｖ４及び第一凹部Ｖ３から抜き出すことにより、解錠が完了する。また、施錠装置６ａが鎖錠状態にあるときに、錠軸Ｌ６を無理に外側に向かって引っ張りながら、ダイアル盤７１ａを順に回転させようとする場合（不正解除）、錠軸Ｌ６は固定ユニット９の第三凹部Ｖ４を経由するが、この第三凹部Ｖ４は第一凹部Ｖ３に合わさっていないので、錠軸Ｌ６がダイアル盤７１ａから抜け出る方向に移動することはできない。つまり、錠軸Ｌ６が第三凹部Ｖ４とダイアル盤７１ａの間に留め置かれて、ダイアル盤７１ａを回転させることができない状態となり、ダイアルが不正解錠されない。従って、錠軸Ｌ６と固定ユニット９の間の連動関係により施錠装置６ａが不正解錠されることを効果的に回避することが可能となる。
【００５０】
注意すべきは、第二及び第三の実施形態のいずれの場合にも、現有のダイアル錠と互換性を有するという点である。例えば、プッシュ式ダイアル錠などの機械ダイアル錠に、本発明の原理を適用して、不正解錠されにくいダイアル錠を製作することが可能である。
【００５１】
このように、本発明の施錠装置（ダイアル錠、シリンダー錠）は、固定ユニットに錠軸又はシリンダーを組合わせて、ダイアル又はドライバーピン、キーピンの配列を特定の位置においてのみ変更することにより、外的な操作によって不正解錠されることを効果的に防止できる。従って、先行技術に比べ、実用性に優れる施錠装置が得られる。
【００５２】
以上、本発明を図面を参照して詳述してきたが、具体的な構成は、上記実施形態に限られるものではなく、本発明の要旨を逸脱しない範囲で種々の変形が可能である。
【符号の説明】
【００５３】
１  ダイアル錠
４、７、７ａ  ダイアル組合せ装置
７１、７１ａ  ダイアル盤
Ｌ、Ｌ４、Ｌ６  錠軸
４１１  スプリング
５１  スプリング
Ｌ３  シアライン
３、６、６ａ  施錠装置
４１  ピン押さえユニット
４１２  鋸状ドライバーピン
４１３  鋸状キーピン
５、８、９  固定ユニット
５２  固定パーツ
７１１、７１１ａ  開口穴
８１  閂
８２  噛み合わせ部
８３  操作部
９１  円盤
Ｆ  接触面
Ｈ  貫通穴
Ｉ、Ｊ、Ｈ  暗証番号入力ユニット
Ｋ  キー
Ｌ１  柱体
Ｌ２  ストッパー
Ｌ４１、Ｌ６１  凸歯
Ｌ４２  凹槽
Ｏ  キーウェイ
ｐ  凸部
Ｐ１  第一位置
Ｐ２  第二位置
Ｖ１、Ｖ３  第一凹部
Ｖ２  第二凹部
Ｖ４  第三凹部
【図１Ａ】
2012112234.tif 000003
【図１Ｂ】
2012112234.tif 000004
【図１Ｃ】
2012112234.tif 000005
【図２Ａ】
2012112234.tif 000006
【図２Ｂ】
2012112234.tif 000007
【図２Ｃ】
2012112234.tif 000008
【図２Ｄ】
2012112234.tif 000009
【図３Ａ】
2012112234.tif 000010
【図３Ｂ】
2012112234.tif 000011
【図４Ａ】
2012112234.tif 000012
【図４Ｂ】
2012112234.tif 000013
【図５Ａ】
2012112234.tif 000014
【図５Ｂ】
2012112234.tif 000015
【図５Ｃ】
2012112234.tif 000016